(57)【要約】      （修正有）【課題】内部の容積を任意に加減できる、物品の収納容器の提供。【解決手段】周囲を缸壁でかこまれた容器内部に、相対して上下平行に配置された直状槽を設けた内缸と、互いに逆対称した２条の螺旋溝を設けた外缸と、両端に突起を設けた底板を容置していて、外缸と内缸との相対回転により、底板の高さを上下して、容器内器の容積を加減できる物品の収納容器とした。【選択図】図３
0003111572.tif 000002
【実用新案登録請求の範囲】
【請求項１】
物品を収納する缸状容器であって、
周囲を缸壁でかこまれた容器内部には、相対して上下平行に配置された直状槽を設けた内缸と、互いに逆対称した２条の螺旋溝を設けた外缸と、両端に突起を設けた底板とを容置していて、前記外缸と、内缸との相対回転により、前記底板の高さを上下して、缸内部の容積を加減することを特徴とする、物品の収納容器。
【請求項２】
前記内缸の下部には、その直径より大な直径の座体があり、その周囲は弾性のあるゴム系のリングで前記缸壁の内側に密着させて、前記缸壁で前記内缸を駆動することを特徴とする、請求項１に記載の物品の収納容器。
【請求項３】
前記収納容器の頂部には気密性の環状ガスケットで、前記収納容器を密閉する缸蓋が取付けられていることを特徴とする、請求項１に記載の物品の収納容器。
【請求項４】
前記缸蓋の前記内缸の内側部に当る位置には、下に向って環状の切取部が設けられていて、ふたをしたとき、前記切取部が前記内缸の内側に深く食い込んで内部の物品の溢れ出しを防ぐことを特徴とする、請求項３に記載の物品の収納容器。
【請求項５】
前記外缸の底部には、使用前が前記缸壁を手で捻転するのに便利のよう、中心部にくぼみを形成していることを特徴とする、請求項１に記載の物品の収納容器。
【請求項６】
前記缸蓋と缸壁とは、ねじ山(screw thread)で結合されていることを特徴とする、請求項３に記載の物品の収納容器。                                       
【考案の詳細な説明】
【技術分野】
【０００１】
本考案は外缸と内缸の相対回転により、内缸の底板の高さを上下移動して、缸内部の容積が加減できる、物品の収納容器に関するものである。
【背景技術】
【０００２】
図１に一般に見られる物品の収納容器を示す。この容器は一定の容積の缸体１と缸蓋１１とからなっている。
【０００３】
このような周知の収納容器には内部に収容された物品が少なくなったとき、容器を傾けさせて、手さぐりで内容物を取出さなければならぬ場合が多く、不便である。特に菓子などの食品をこのようにして取出す場合、不潔である。
【考案の開示】
【考案が解決しようとする課題】
【０００４】
このような欠点を改善せんがため、本願の考案者は長期に渡る研究の結果、本考案に係る、内部の容積が加減できる物品の収納容器の開発に成功したのである。
【０００５】
本考案の目的は内容物の貯存量に応じて、容器の底部の高さを上下し、内部の容積を加減して、内容物を容易に取出せる、物品の収納容器を提供することにある。
【０００６】
また、本考案のもう１つの目的は、貯存量が少なくなった場合、容器の底部の高さを上げて、内容物を見やすくし、取出す場合にも容器を傾ける必要のない、物品の収納容器を提供することにある。                                        
【０００７】
また、本考案のもう１つの目的は、容積を加減する機構を底部に設けて、取扱いが容易で、且つ外観を損わない、物品の収納容器を提供することにある。
【０００８】
また、本考案のもう１つの目的は、容器の隙間を気密に完全密閉できる、物品の収納容器を提供することにある。
【課題を解決するための手段】
【０００９】
上記の目的を果せる手段として、本考案では、周囲を缸壁でかこまれた容器内器に、相対して上下平行に配置された直状槽を設けた内缸と、互いに逆対称した２条の螺旋溝を設けた外缸と、両端に突起を設けた底板を容置していて、外缸と内缸との相対回転により、底板の高さを上下して、内缸の容積を加減できる物品の収納容器を提供した。
【００１０】
なお、内缸の下部には、その直径より大きな直径の座体を設けて、その周囲を弾性のあるゴム系のリングで缸壁の内側に密着させて、缸壁で内缸を駆動するようにした。
【００１１】
なお、気密性のガスケット付きの罐蓋で、この容器を密閉するようにした。
【００１２】
本考案に係る物品の収納容器のさらに詳細な特徴、及び優点は本明細書の附図を参照して、下記の実施例を読んでいただきたい。
【考案の効果】
【００１３】
本考案が提供する物品の収納容器は従来の製品と比較した場合、内部の容積を必要に応じて加減できる優点があり、非常に便利で実用性に富むものである。本考案は、空間形態において確かに新規性があるのみならず、従来品に比べて上述の機能を追加でき、新規性及び進歩性の法定実用新案登録請求の要件に十分合致するものと考えられる。
【考案を実施するための最良の形態】
【００１４】
図１に示された周知の物品の収納容器の構成上の欠点は、上述の通りであるので、ここでは再び取上げない。
【００１５】
本考案に係る底板を上下して、その容積を加減できる物品の収納容器を図２と図３に示した。この容器の缸本体２の外部は缸壁３に覆われている。缸本体２は内缸４と、外缸５と底板４３を含んでいる。内缸４は外缸５の中に差し込まれ、形状は共に管状である。内缸４の壁部には相対して上下平行に配置された直状槽４１、４２が設けられ、外缸５の内壁面には、互いに逆対称した２条の螺旋溝５１を設けてあり、底板４３の両端には突起４３１、４３２が形成されていて、底板４３を内缸４の下部に嵌め、突起４３１、４３２をそれぞれ、直状槽４１、４２中にはめこみ、内缸４と外缸５を相対して捻転すれば、突起４３１、４３２は螺旋溝５１に沿って摺動し、底板４３は上下に移動するのである。
【００１６】
内缸４の下部には、その直径よりも大なる直径を有する座体４４があり、その周囲は弾性に富んだゴム系のリング４５で缸壁３の内側に密着させて、缸壁３で内缸４を駆動するようになっている。なお、容器の頂部は缸蓋３１で容器にふたをするのである。
【００１７】
実際に該容器を使用する際、内缸４と外缸５の相対捻転で底板４３を上昇、或いは下降させて、容器内部の容積が加減される。このようにして、内容物の収納を容易にするのみならず、内容物の多寡を問わず、取出しも簡単になる。その上、内容物が非常に少くなった場合、気付き易くもなる。
【００１８】
その他、図５に示すように、缸蓋３１と缸壁３の接触部に気密性の環状ガスケット６１を取付け、両者の間をねじ山３１１、３３で結合させたり、缸蓋３１の内缸４の内側部に当る位置に下に向って環状の切取部６２を設けて、ふたをしたとき、切取部６２を内缸４の内側に深く食い込ませて内容物の溢れ出しを防ぐこともできる。
【００１９】
また、外缸５の底部に使用者が缸壁３を手で捻転するのに便利のよう、中心部にくぼみ３２を設けることもできる。
【００２０】
以上詳細な説明は、本考案の実行可能な実施例についての具体的説明である。但し、これらの実施例は本考案の実用新案登録請求の範囲を制限するものではなく、凡そ本考案の技術精神を逸脱せずなされた同等効果の実施、または変更は、全て本考案の実用新案登録請求の範囲内に含まれるものとする。
【図面の簡単な説明】
【００２１】
【図１】図１は従来の収納容器の断面図である。
【図２】図２は本考案に係る収納容器の立体分解図である。
【図３】図３は本考案に係る収納容器の組立断面図である。
【図４】図４は本考案に係る収納容器の実施例図である。
【図５】図５は本考案に係る収納容器のもう１つの実施例図である。
【符号の説明】
【００２２】
１：缸体
１１：缸蓋
２：缸本体
３：缸壁
４：内缸
５：外缸
３１：缸蓋
３２：くぼみ
４１、４２：直状槽
４３：底板
４３１、４３２：突起
４４：座体
４５：環状ガスケット
５１：逆対称の螺旋溝
６１：気密性ガスケット
６２：切取部
【図１】
0003111572.tif 000003
【図２】
0003111572.tif 000004
【図３】
0003111572.tif 000005
【図４】
0003111572.tif 000006
【図５】
0003111572.tif 000007